(57)【要約】      （修正有）【課題】  ＰＡＬ方式等対応の解像度が低く画素面積が大きい液晶表示装置であって、画質が向上され画素欠陥が目立たないような液晶表示装置を提供する。【解決手段】  液晶表示装置の各画素を２分割あるいは３分割し、分割されたそれぞれの副画素は液晶層にそれぞれ異なる電圧を印加することができる電極からなる。【選択図】  図８
2006171342.tif 000002
【特許請求の範囲】
【請求項１】
それぞれが液晶層と前記液晶層に電圧を印加する複数の電極とを有する複数の画素を備えた液晶表示装置であって、
前記複数の画素のそれぞれは、それぞれの前記液晶層に互いに異なる電圧を印加することができる複数の副画素を有していることを特徴とする液晶表示装置。
【請求項２】
前記複数の画素のそれぞれは、それぞれの前記液晶層に互いに異なる電圧を印加することができる３つの副画素を有しており、該３つの副画素のうち１つの副画素と他の２つの副画素とがそれぞれ異なる電極に接続されていることを特徴とする請求項１に記載の液晶表示装置。
【請求項３】
ＰＡＬ方式の放送信号を受信し表示することを特徴とする請求項１又は２に記載の液晶表示装置。
【請求項４】
ＰＡＬ方式の放送信号として受信される５７６本の走査線を有するインターレース方式の映像信号を受信し、該５７６本の走査線を有するインターレース方式の映像信号を５４０本の走査線を有するプログレッシブ方式の映像信号に変換する映像信号変換部と、
５４０本の画素列を有するマトリックス型の表示パネルとを備え、
前記プログレッシブ方式の映像信号を前記表示パネルに表示することを特徴とする請求項１から３のいずれか１項に記載の液晶表示装置。
【請求項５】
ハイビジョン方式の放送信号として受信される１０８０本の走査線を有するインターレース方式の映像信号を受信し、該１０８０本の走査線を有するインターレース方式の映像信号を５４０本の走査線を有するプログレッシブ方式の映像信号に変換する映像信号変換部と、
５４０本の画素列を有するマトリックス型の表示パネルとを備え、
前記プログレッシブ方式の映像信号を前記表示パネルに表示することを特徴とする請求項１から３のいずれか１項に記載の液晶表示装置。
【発明の詳細な説明】
【技術分野】
【０００１】
本発明は、マルチ画素方式の液晶表示装置に関し、特に、ＰＡＬ方式の放送を受信し表示するマルチ画素方式の液晶表示装置に関するものである。
【背景技術】
【０００２】
液晶表示装置は、高精細、薄型、軽量および低消費電力等の優れた特長を有する平面表示装置であり、近年、表示性能の向上、生産能力の向上および他の表示装置に対する価格競争力の向上に伴い、市場規模が急速に拡大している。
【０００３】
従来一般的であったツイステッド・ネマティク・モード（ＴＮモード）の液晶表示装置は、正の誘電率異方性を持つ液晶分子の長軸を基板表面に対して略平行に配向させ、且つ、液晶分子の長軸が液晶層の厚さ方向に沿って上下の基板間で略９０度捻れるように配向処理が施されている。この液晶層に電圧を印加すると、液晶分子が電界に平行に立ち上がり、捻れ配向（ツイスト配向）が解消される。ＴＮモードの液晶表示装置は、電圧による液晶分子の配向変化に伴う旋光性の変化を利用することによって、透過光量を制御するものである。
【０００４】
ＴＮモードの液晶表示装置は、生産マージンが広く生産性に優れている。一方、表示性能とりわけ視野角特性の点で問題があった。具体的には、ＴＮモードの液晶表示装置の表示面を斜め方向から観測すると、表示のコントラスト比が著しく低下し、正面からの観測で黒から白までの複数の階調が明瞭に観測される画像を斜め方向から観測すると階調間の輝度差が著しく不明瞭となる点が問題であった。さらに、表示の階調特性が反転し、正面からの観測でより暗い部分が斜め方向からの観測ではより明るく観測される現象（いわゆる、階調反転現象）も問題であった。
【０００５】
近年、これらＴＮモードの液晶表示装置における視野角特性を改善した液晶表示装置として、特許文献１に記載のインプレイン・スイッチング・モード（ＩＰＳモード）、特許文献２に記載のマルチドメイン・バーティカル・アラインド・モード（ＭＶＡモード）、特許文献３に記載の軸対称配向モード（ＡＳＭモード）および、特許文献４に記載の液晶表示装置等が開発された。
【０００６】
これらの新規なモード（広視野角モード）の液晶表示装置はいずれも視野角特性に関する上記の具体的な問題点を解決している。すなわち、表示面を斜め方向から観測した場合に表示コントラスト比が著しく低下したり、表示階調が反転したりするなどの問題は起こらない。
【０００７】
【特許文献１】特公昭６３−２１９０７号公報。
【特許文献２】特開平１１−２４２２２５号公報。
【特許文献３】特開平１０−１８６３３０号公報。
【特許文献４】特開２００２−５５３４３号公報。
【特許文献５】特開２００４−６２１４６号公報。
【発明の開示】
【発明が解決しようとする課題】
【０００８】
しかしながら、上記した従来の液晶表示装置はパソコンのＸＧＡ等の表示解像度に対応して設計されたものである。
【０００９】
同様の技術を、ＰＡＬ方式やＳＥＣＡＭ方式の放送を受信し表示する液晶表示装置に適用しようとすると、ＰＡＬ方式の放送信号は、走査線数が５７６本のインターレース方式を標準仕様としており、これをパソコンのＸＧＡ解像度の液晶表示装置に表示しようとすると、走査線数が違うため、走査線間の演算を伴うスケーリングをする必要が出てくるが、走査線間演算を行うスケーリングをすると、解像度が落ちるという問題が生じる。
【００１０】
このため、ＰＡＬ／ＳＥＣＡＭの走査線数に最適化した表示パネルを使った表示装置が考えられるが、そのような表示装置においては、以下のような問題が生じる。
【００１１】
第１には、これ対応した液晶表示装置は、ＸＧＡ方式対応のものに比べて解像度が低く、画素面積が大きくなってしまう。解像度が低く、画素面積が大きい液晶表示装置において視野角広く取ろうとすると、画素が粒状に見えてしまったり、ぼやけて見えたりしてしまう。
【００１２】
第２には、解像度が低く、画素面積が大きい液晶表示装置では、画素欠陥が目立ちやすくなるため、液晶表示装置の製造工程において歩留まりが低下してしまう。
【００１３】
特に近年は、液晶表示装置の大型化が進んでいるため、上記したような問題がますます深刻化することが予想される。
【００１４】
本発明は、このような実情に鑑みてなされたものであり、ＰＡＬ方式等対応の解像度が低く画素面積が大きい液晶表示装置であって、画質が向上され画素欠陥が目立たないような液晶表示装置を提供しようとするものである。
【課題を解決するための手段】
【００１５】
上記解決課題に鑑みて鋭意研究の結果、本発明者は、液晶表示装置の各画素を２分割あるいは３分割することに想到した。
【００１６】
すなわち、本発明は、それぞれが液晶層と前記液晶層に電圧を印加する複数の電極とを有する複数の画素を備えた液晶表示装置であって、前記複数の画素のそれぞれは、それぞれの前記液晶層に互いに異なる電圧を印加することができる複数の副画素を有していることを特徴とする液晶表示装置を提供するものである。
【００１７】
本発明の液晶表示装置において、前記複数の画素のそれぞれは、それぞれの前記液晶層に互いに異なる電圧を印加することができる３つの副画素を有しており、該３つの副画素のうち１つの副画素と他の２つの副画素とがそれぞれ異なる電極に接続されていることを特徴とする。
【００１８】
本発明の液晶表示装置は、特に、ＰＡＬ方式の放送信号を受信し表示することを特徴とする。ＰＡＬ方式の放送信号に対応するために、以下のような技術的特徴をさらに備えている。
【００１９】
上記の液晶表示装置において、ＰＡＬ方式の放送信号として受信される５７６本の走査線を有するインターレース方式の映像信号を受信し、該５７６本の走査線を有するインターレース方式の映像信号を５４０本の走査線を有するプログレッシブ方式の映像信号に変換する映像信号変換部と、５４０本の画素列を有するマトリックス型の表示パネルとをさらに備え、前記プログレッシブ方式の映像信号を前記表示パネルに表示することを特徴とする。
【００２０】
上記の液晶表示装置において、ハイビジョン方式の放送信号として受信される１０８０本の走査線を有するインターレース方式の映像信号を受信し、該１０８０本の走査線を有するインターレース方式の映像信号を５４０本の走査線を有するプログレッシブ方式の映像信号に変換する映像信号変換部と、５４０本の画素列を有するマトリックス型の表示パネルとをさらに備え、前記プログレッシブ方式の映像信号を前記表示パネルに表示することを特徴とする。
【発明の効果】
【００２１】
以上、説明したように、本発明の液晶表示装置によれば、ＰＡＬ方式等対応の解像度が低く画素面積が大きい液晶表示装置であって、画質が向上され画素欠陥が目立たないような液晶表示装置が提供される。
【発明を実施するための最良の形態】
【００２２】
以下、添付図面を参照しながら、本発明の液晶表示装置を実施するための最良の形態を詳細に説明する。図１〜図１２は、本発明の実施の形態を例示する図であり、これらの図において、同一の符号を付した部分は同一物を表わし、基本的な構成及び動作は同様であるものとする。
【００２３】
図１は、本実施形態の液晶表示装置の電気的な構成を模式的に示す図である。図１において、液晶表示装置２００が有する画素１０は、副画素１０ａ、１０ｂに分割されており、副画素１０ａ、１０ｂは、それぞれＴＦＴ１６ａ、ＴＦＴ１６ｂ、および補助容量（ＣＳ）２２ａ、２２ｂが接続されている。ＴＦＴ１６ａおよびＴＦＴ１６ｂのゲ−ト電極は走査線１２に接続され、ソース電極は共通の（同一の）信号線１４に接続されている。補助容量２２ａ、２２ｂは、それぞれ補助容量配線（ＣＳバス・ライン）２４ａおよび補助容量配線２４ｂに接続されている。補助容量２２ａおよび２２ｂは、それぞれ副画素電極１８ａおよび１８ｂに電気的に接続された補助容量電極と、補助容量配線２４ａおよび２４ｂに電気的に接続された補助容量対向電極と、これらの間に設けられた絶縁層（不図示）によって形成されている。補助容量２２ａおよび２２ｂの補助容量対向電極は互いに独立しており、それぞれ補助容量配線２４ａおよび２４ｂから互いに異なる補助容量対向電圧が供給され得る構造を有している。
【００２４】
次に、液晶表示装置２００の２つの副画素１０ａおよび１０ｂの液晶層に互いに異なる実効電圧を印加することが出来る原理について図を用いて説明する。図２は、液晶表示装置２００の１画素分の等価回路を模式的に示す図である。電気的な等価回路において、それぞれの副画素１０ａおよび１０ｂの液晶層を液晶層１３ａおよび１３ｂとして表している。また、副画素電極１８ａおよび１８ｂと、液晶層１３ａおよび１３ｂと、対向電極１７（副画素１０ａおよび１０ｂに対して共通）によって形成される液晶容量をＣｌｃａ、Ｃｌｃｂとする。液晶容量ＣｌｃａおよびＣｌｃｂの静電容量値は同一の値ＣＬＣ（Ｖ）とする。ＣＬＣ（Ｖ）の値は、副画素１０ａ、１０ｂの液晶層に印加される実効電圧（Ｖ）に依存する。また、各副画素１０ａおよび１０ｂの液晶容量にそれぞれ独立に接続されている補助容量２２ａおよび２２ｂをＣｃｓａ、Ｃｃｓｂとし、これの静電容量値は同一の値ＣＣＳとする。
【００２５】
副画素１０ａの液晶容量Ｃｌｃａと補助容量Ｃｃｓａの一方の電極は副画素１０ａを駆動するために設けたＴＦＴ１６ａのドレイン電極に接続されており、液晶容量Ｃｌｃａの他方の電極は対向電極に接続され、補助容量Ｃｃｓａの他方の電極は補助容量配線２４ａに接続されている。副画素１０ｂの液晶容量Ｃｌｃｂと補助容量Ｃｃｓｂの一方の電極は副画素１０ｂを駆動するために設けたＴＦＴ１６ｂのドレイン電極に接続されており、液晶容量Ｃｌｃｂの他方の電極は対向電極に接続されており、補助容量Ｃｃｓｂの他方の電極は補助容量配線２４ｂに接続されている。ＴＦＴ１６ａおよびＴＦＴ１６ｂのゲート電極はいずれも走査線１２に接続されており、ソース電極はいずれも信号線１４に接続されている。
【００２６】
図３（ａ）〜（ｆ）は、本実施形態の液晶表示装置２００を駆動する際の各電圧のタイミングを模式的に示す図である。図３（ａ）は、信号線１４の電圧波形Ｖｓ、図３（ｂ）は補助容量配線２４ａの電圧波形Ｖｃｓａ、図３（ｃ）は補助容量配線２４ｂの電圧波形Ｖｃｓｂ、図３（ｄ）は走査線１２の電圧波形Ｖｇ、図３（ｅ）は副画素１０ａの画素電極１８ａの電圧波形Ｖｌｃａ、図３（ｆ）は、副画素１０ｂの画素電極１８ｂの電圧波形Ｖｌｃｂをそれぞれ示している。また、図中の破線は、対向電極１７の電圧波形ＣＯＭＭＯＮ（Ｖｃｏｍ）を示している。
【００２７】
以下、図３（ａ）〜（ｆ）を用いて図２の等価回路の動作を説明する。
時刻Ｔ１のときＶｇの電圧がＶｇＬからＶｇＨに変化することにより、ＴＦＴ１６ａとＴＦＴ１６ｂが同時に導通状態（オン状態）となり、副画素１０ａ、１０ｂの副画素電極１８ａ、１８ｂに信号線１４の電圧Ｖｓが伝達され、副画素１０ａ、１０ｂに充電される。同様にそれぞれの副画素の補助容量Ｃｓａ、Ｃｓｂにも信号線からの充電がなされる。
【００２８】
次に、時刻Ｔ２のとき走査線１２の電圧ＶｇがＶｇＨからＶｇＬに変化することにより、ＴＦＴ１６ａとＴＦＴ１６ｂが同時に非導通状態（ＯＦＦ状態）となり、副画素１０ａ、１０ｂ、補助容量Ｃｓａ、Ｃｓｂはすべて信号線１４と電気的に絶縁される。なお、この直後ＴＦＴ１６ａ、ＴＦＴ１６ｂの有する寄生容量等の影響による引き込み現象のために、それぞれの副画素電極の電圧Ｖｌｃａ、Ｖｌｃｂは概ね同一の電圧Ｖｄだけ低下し、
Ｖｌｃａ＝Ｖｓ−Ｖｄ
Ｖｌｃｂ＝Ｖｓ−Ｖｄ
となる。また、このとき、それぞれの補助容量配線の電圧Ｖｃｓａ、Ｖｃｓｂは
Ｖｃｓａ＝Ｖｃｏｍ−Ｖａｄ
Ｖｃｓｂ＝Ｖｃｏｍ＋Ｖａｄ
である。
【００２９】
時刻Ｔ３で、補助容量Ｃｓａに接続された補助容量配線２４ａの電圧ＶｃｓａがＶｃｏｍ−ＶａｄからＶｃｏｍ＋Ｖａｄに変化し、補助容量Ｃｓｂに接続された補助容量配線２４ｂの電圧ＶｃｓｂがＶｃｏｍ＋ＶａｄからＶｃｏｍ−Ｖａｄに２倍のＶａｄだけ変化する。補助容量配線２４ａおよび２４ｂのこの電圧変化に伴い、それぞれの副画素電極の電圧Ｖｌｃａ、Ｖｌｃｂは
Ｖｌｃａ＝Ｖｓ−Ｖｄ＋２×Ｋ×Ｖａｄ
Ｖｌｃｂ＝Ｖｓ−Ｖｄ−２×Ｋ×Ｖａｄ
へ変化する。但し、Ｋ＝ＣＣＳ／（ＣＬＣ（Ｖ）＋ＣＣＳ）である。
【００３０】
時刻Ｔ４では、ＶｃｓａがＶｃｏｍ＋ＶａｄからＶｃｏｍ−Ｖａｄへ、ＶｃｓｂがＶｃｏｍ−ＶａｄからＶｃｏｍ＋Ｖａｄへ、２倍のＶａｄだけ変化し、Ｖｌｃａ、Ｖｌｃｂもまた、
Ｖｌｃａ＝Ｖｓ−Ｖｄ＋２×Ｋ×Ｖａｄ
Ｖｌｃｂ＝Ｖｓ−Ｖｄ−２×Ｋ×Ｖａｄ
から、
Ｖｌｃａ＝Ｖｓ−Ｖｄ
Ｖｌｃｂ＝Ｖｓ−Ｖｄ
へ変化する。
時刻Ｔ５では、ＶｃｓａがＶｃｏｍ−ＶａｄからＶｃｏｍ＋Ｖａｄへ、ＶｃｓｂがＶｃｏｍ＋ＶａｄからＶｃｏｍ−Ｖａｄへ、２倍のＶａｄだけ変化し、Ｖｌｃａ、Ｖｌｃｂもまた、
Ｖｌｃａ＝Ｖｓ−Ｖｄ
Ｖｌｃｂ＝Ｖｓ−Ｖｄ
から、
Ｖｌｃａ＝Ｖｓ−Ｖｄ＋２×Ｋ×Ｖａｄ
Ｖｌｃｂ＝Ｖｓ−Ｖｄ−２×Ｋ×Ｖａｄ
へ変化する。
Ｖｃｓａ、Ｖｃｓｂ、Ｖｌｃａ、Ｖｌｃｂは、水平書き込み時間１Ｈの整数倍の間隔ごとに上記Ｔ４、Ｔ５における変化を交互に繰り返す。上記Ｔ４、Ｔ５の繰り返し間隔を１Ｈの１倍とするか、２倍とするか、３倍とするかあるいはそれ以上とするかは液晶表示装置の駆動方法（極性反転方法等）や表示状態（ちらつき、表示のざらつき感等）を鑑みて適宜設定すればよい。この繰り返しは次に画素１０が書き換えられるとき、すなわちＴ１に等価な時間になるまで継続される。従って、それぞれの副画素電極の電圧Ｖｌｃａ、Ｖｌｃｂの実効的な値は、
Ｖｌｃａ＝Ｖｓ−Ｖｄ＋Ｋ×Ｖａｄ
Ｖｌｃｂ＝Ｖｓ−Ｖｄ−Ｋ×Ｖａｄ
となる。
【００３１】
よって、副画素１０ａ、１０ｂの液晶層１３ａおよび１３ｂに印加される実効電圧Ｖ１、Ｖ２は、
Ｖ１＝Ｖｌｃａ−Ｖｃｏｍ
Ｖ２＝Ｖｌｃｂ−Ｖｃｏｍ
すなわち、
Ｖ１＝Ｖｓ−Ｖｄ＋Ｋ×Ｖａｄ−Ｖｃｏｍ
Ｖ２＝Ｖｓ−Ｖｄ−Ｋ×Ｖａｄ−Ｖｃｏｍ
となる。
従って、副画素１０ａおよび１０ｂのそれぞれの液晶層１３ａおよび１３ｂに印加される実効電圧の差ΔＶ１２（＝Ｖ１−Ｖ２）は、ΔＶ１２＝２×Ｋ×Ｖａｄ（但し、Ｋ＝ＣＣＳ／（ＣＬＣ（Ｖ）＋ＣＣＳ））となり、互いに異なる電圧を印加することができる。
【００３２】
本実施形態の図１から図３におけるＶ１とＶ２の関係を模式的に図４に示す。図４からわかるように、本実施形態の液晶表示装置２００では、Ｖ１の値が小さいほどΔＶ１２の値が大きい、先に説明した電圧条件Ｃに類似した条件である。なお、ΔＶ１２の値がＶ１あるいはＶ２に依存して変化するのは、液晶容量の静電容量値ＣＬＣ（Ｖ）が電圧依存性を持っているためである。
【００３３】
図５は、本実施形態の液晶表示装置２００のγ特性を示す図である。図５には比較のために副画素１０ａと１０ｂに同一の電圧を印加した場合のγ特性も示してある。図５より、本実施形態の液晶表示装置においてもγ特性の改善がなされていることがわかる。ここでは、本実施形態によると、ノーマリブラックモードの液晶表示装置、特に、ＭＶＡモードの液晶表示装置のγ特性を改善できることを示したが、本発明はこれに限られず、ＩＰＳモードの液晶表示装置に適用することもできる。
【００３４】
次に、本実施形態の液晶表示装置において、それぞれの画素がある中間調表示状態において互いに異なる輝度を呈する少なくとも２つの副画素を有する液晶表示装置の表示における「ちらつき」を抑制することが可能な画素配列（副画素の配列）または駆動方法の好ましい形態を説明する。ここでは、上述した本発明の第１の局面による実施形態による画素分割構造を有する液晶表示装置を例に本実施形態の液晶表示装置の構成と動作を説明するが、画素配列によって得られる効果は画素分割の仕方に限られず、他の画素分割構造を有する液晶表示装置に適用することもできる。
【００３５】
まず、液晶表示装置における「ちらつき」の問題を説明する。
典型的な液晶表示装置では、信頼性の問題の観点から画素の液晶層に印加される電圧が交流電圧となるように設定してある（「交流駆動法」といわれることがある。）。すなわち、画素電極と対向電極との電位の大小関係が一定時間毎に反転し、液晶層に印加される電界の向き（電気力線の向き）が一定時間毎に反転するように設定されている。対向電極と画素電極とを異なる基板に設けた典型的な液晶表示装置では、液晶層に印加される電界の向きは光源側から観測者側、観測者側から光源側へと反転する。
【００３６】
液晶層に印加される電界の向きの反転の周期は、典型的にはフレーム期間（例えば１６．６６７ｍｓ）の２倍（例えば３３．３３３ｍｓ）である。すなわち、液晶表示装置では表示する１枚の画像（フレーム画像）毎に液晶層に印加される電界の向きが反転していることになる。従って、静止画を表示する場合、各々の電界の向きで電界強度（印加電圧）を正確に一致してなければ、すなわち、電界の向きが変わるたびごとに電界強度が変化すれば、電界強度の変化に伴って画素の輝度が変化してしまい、表示がちらつくといった問題が発生する。
【００３７】
このちらつきを防止するためには、各々の電界の向きの電界強度（印加電圧）を正確に一致させる必要がある。しかしながら、工業的に生産される液晶表示装置においては、各々の電界の向きについて電界強度を正確に一致させることは困難であるため、表示領域内に互いに異なる電界の向きを有する画素を隣接して配置することにより、画素の輝度が空間的に平均される効果を利用することによって、ちらつきを低減している。この方法は、一般的には、「ドット反転」あるいは「ライン反転」と呼ばれている。なお、これらの「反転駆動」には、反転する画素周期が１画素単位での市松模様状の反転（１行毎および１列毎の極性反転）のもの（１ドット反転）、あるいは１ライン状の反転（１行毎の反転）のもの（１ライン反転）だけでなく、２行毎および１列毎の極性反転（２行１列ドット反転）等様々な形態があり、必要に応じて適宜設定される。
【００３８】
上述したように、高品位の表示を実現するためには、（１）液晶層に印加される電界の向きが一定時間毎に、例えばフレーム期間毎に反転する交流駆動とすること、（２）各々の電界の向きにおいて液晶層に印加される電圧（あるいは液晶容量に充電される電荷量）、および補助容量に充電される電荷量をできるだけ一致させること、（３）垂直走査期間（例えばフレーム期間）において、液晶層に印加される電界の向き（「電圧の極性」ということもある。）の異なる画素を隣接して配置する、という３つの条件を満足することが好ましい。なお、「垂直走査期間」とは、ある走査線が選択され、次にその走査線が選択されるまでの期間と定義することにする。１垂直走査期間は、ノンインターレース駆動においては１フレーム期間であり、インターレース駆動においては１フィールド期間に対応する。また、各垂直走査期間内において、ある走査線を選択する時刻と、その次の走査線を選択する時刻との差（期間）を１水平走査期間（１Ｈ）という。
【００３９】
上述した本実施形態による液晶表示装置は、１つの画素を少なくとも２つの副画素に分割し、且つそれら副画素の輝度（透過率）を積極的に異ならせることによって、視野角特性に優れた表示を実現している。本発明者が検討した結果、１つの画素を異なる輝度を呈する複数の副画素に分割した場合、上記３つの条件に加えて、副画素の配置に関する第４の条件を満足することが好ましい。具体的には、積極的に輝度を異ならせた副画素の輝度順位（輝度の大小関係の順位）を可能な限りランダムに配置することが好ましい。表示上最も好ましいのは、輝度順位の等しい副画素が互いに列方向、および行方向に隣接しない配置である。言い換えれば、表示上最も好ましいのは、輝度順位の等しい副画素を市松状に配置することである。
【００４０】
以下に、上述した本実施形態の液晶表示装置に適した駆動方法および画素配列ならびに副画素配列について説明する。図６および図７を参照しながら、本実施形態の液晶表示装置の駆動方法の一例を以下に説明する。
【００４１】
以下の説明では、図６に示すように、複数の行（１〜ｒｐ）および複数の列（１〜ｃｑ）を有するマトリクス状（ｒｐ、ｃｑ）に配列され、それぞれの画素Ｐ（ｐ、ｑ）（ただし、１≦ｐ≦ｒｐ、１≦ｑ≦ｃｑ）が２つの副画素ＳＰａ（ｐ、ｑ）およびＳＰｂ（ｐ、ｑ）を有する例を説明する。図６は、本実施形態の液晶表示装置の信号線Ｓ−Ｃ１、Ｓ−Ｃ２、Ｓ−Ｃ３、Ｓ−Ｃ４・・・Ｓ−Ｃｃｑ、走査線Ｇ−Ｌ１、Ｇ−Ｌ２、Ｇ−Ｌ３、・・・Ｇ−Ｌｒｐおよび補助容量配線ＣＳ−ＡおよびＣＳ−Ｂと、各画素Ｐ（ｐ、ｑ）および各画素を構成する副画素ＳＰａ（ｐ、ｑ）およびＳＰｂ（ｐ、ｑ）の相対的な配置の一部分（８行６列）を模式的に示す模式図である。
【００４２】
図６に示したように、１つの画素Ｐ（ｐ、ｑ）は画素の中央付近を水平に貫く走査線Ｇ−Ｌｐの上下に副画素ＳＰａ（ｐ、ｑ）およびＳＰｂ（ｐ、ｑ）を有している。すなわち、副画素ＳＰａ（ｐ、ｑ）およびＳＰｂ（ｐ、ｑ）は各画素において列方向に配列されている。それぞれの副画素ＳＰａ（ｐ、ｑ）およびＳＰｂ（ｐ、ｑ）の補助容量電極の一方（不図示）は、隣接の補助容量配線ＣＳ−ＡまたはＣＳ−Ｂに接続されている。また、各画素Ｐ（ｐ、ｑ）に表示画像に応じた信号電圧を供給する信号線Ｓ−Ｃｑは図面上で各画素の間に垂直に（列方向に）延びるように設けられており、各信号線の右隣の副画素（画素）が各々有するＴＦＴ素子（不図示）に信号電圧を供給する構成となっている。図６に示した構成は、一本の補助容量配線、または一本の走査線を２つの副画素で共有する構成であり、画素の開口率を高くできる利点を有している。
【００４３】
図６に示した構成を有する液晶表示装置を駆動するための各種電圧（信号）の波形を図７（ａ）〜（ｊ）に示す。図６の構成を有する液晶表示装置を図７（ａ）〜（ｊ）の電圧波形を有する電圧で駆動することによって、上記４つの条件を満足することができる。
【００４４】
次に、本実施形態の液晶表示装置において、上記４つの条件が満足されていることを説明する。以下の説明では、説明の簡略化のために、全ての画素がある中間調を表示している状態を示している。
【００４５】
図７（ａ）は信号線Ｓ−Ｃ１、Ｓ−Ｃ３、Ｓ−Ｃ５・・・（奇数番目の信号線の群をＳ−Ｏと呼ぶこもとある）に供給される表示信号電圧波形（ソース信号電圧波形）、図７（ｂ）は信号線Ｓ−Ｃ２、Ｓ−Ｃ４、Ｓ−Ｃ６・・・（偶数番目の信号線の群をＳ−Ｅと呼ぶこもとある）に供給される表示信号電圧波形、図７（ｃ）は補助容量配線ＣＳ−Ａに供給される補助容量対向電圧波形、図７（ｄ）はＣＳ−Ｂに供給される補助容量対向電圧波形、図７（ｅ）は走査線Ｇ−Ｌ１に供給される走査電圧波形、図７（ｆ）は走査線Ｇ−Ｌ２に供給される走査電圧波形、図７（ｇ）は走査線Ｇ−Ｌ３に供給される走査電圧波形、図７（ｈ）は走査線Ｇ−Ｌ４に供給される走査電圧波形、図７（ｉ）は走査線Ｇ−Ｌ５に供給される走査電圧波形、図７（ｊ）は走査線Ｇ−Ｌ６に供給される走査電圧波形をそれぞれ示す。ある走査線の電圧がローレベル（ＶｇＬ）からハイレベル（ＶｇＨ）に切替わる時刻から、その次の走査線の電圧がＶｇＬからＶｇＨに切替わる時刻までの期間が１水平走査期間（１Ｈ）である。また、各走査線の電圧がハイレベル（ＶｇＨ）になっている期間を選択期間ＰＳと呼ぶこともある。
【００４６】
ここでは、全ての画素が、ある中間調表示をしている場合を示しているので、図７（ａ）および（ｂ）に示した表示信号電圧は全て一定振幅の振動波形となっている。また、表示信号電圧の振動の周期は２水平走査期間（２Ｈ）としている。表示信号電圧が振動しているのは、また信号線Ｓ−Ｏ（Ｓ−Ｃ１、Ｓ−Ｃ３・・・）の電圧波形と、信号線Ｓ−Ｅ（Ｓ−Ｃ２、Ｓ−Ｃ４・・・）の電圧波形の位相が互いに１８０度異なっているのは、上記３つの目条件を満足するためである。一般に、ＴＦＴ駆動では信号線の電圧がＴＦＴ素子を介して画素電極に伝達される際には走査電圧波形の変化の影響を受けて変化する現象（引き込み現象と呼ばれることもある）が発生する。ここで、対向電圧の設定はこの引き込み現象を考慮して、信号線の電圧波形が画素電極に伝達された後の電圧波形の略中心値となるように設定してあり、図７（ａ），（ｂ）において画素電極の電圧波形が対向電圧よりも高い電圧に対応する信号電圧には記号＋を、画素電極の電圧波形が対向電圧よりも低い電圧に対応する信号電圧には記号−を付記してある。この＋、−の記号は、液晶層に印加される電界の向きに対応しており、＋と−では各々液晶層に印加されている電界の向きが反転している。
【００４７】
前述の図１から図４を参照しながら説明したように、ある走査線の走査電圧がＶｇｈのときこの走査線に接続されているＴＦＴがオン状態となり、このＴＦＴに接続されている副画素に、対応する表示信号電圧が供給される。ついで、走査線の電圧がＶｇｌとなった後に補助容量対向電圧が変化し、且つ、この補助容量対向電圧の変化量（変化方向、変化量の符号を含む）が２つの副画素に対して互いに異なっているので、副画素に印加される実効的な電圧が変化する。
【００４８】
図７（ｃ）および（ｄ）に示したように、ここでは、補助容量配線ＣＳ−ＡおよびＣＳ−Ｂの補助容量対向電圧の振動の振幅および周期がともに、同一の値例えば、Ｖａｄの２倍（図３参照）および１Ｈであり、且つＣＳ−Ａ、ＣＳ−Ｂのいずれか一方の振動波形の位相を１８０度ずらすと他方の振動波形と一致する。すなわち、位相が０．５Ｈだけずれている。各副画素電極の平均的な電圧は、対応する走査線の電圧がＶｇｈからＶｇｌに変化した後、対応する補助容量配線の最初の電圧変化が増加の場合には、対応する走査線の電圧がＶｇｈの時の対応する信号線の表示信号電圧よりも増加し、対応する補助容量配線の最初の電圧変化が低下の場合には、対応する走査線の電圧がＶｇｈの時の対応する信号線の表示信号電圧よりも低下する。
【００４９】
その結果、図７（ａ）および（ｂ）において表示信号電圧に付した記号が＋の時には、補助容量配線の上記電圧変化が増加方向の場合、液晶層に印加される実効的な電圧は、上記電圧変化が減少方向の場合よりも高くなる。他方、図７（ａ）および（ｂ）において表示信号電圧に付した記号が−の時には補助容量配線の上記電圧変化が増加方向の場合の
液晶層に印加される実効的な電圧は、上記電圧変化が減少方向の場合よりも低くなる。
【００５０】
図６には、ある垂直走査期間（ここではフレーム期間）における各画素Ｐ（ｐ、ｑ）と副画素ＳＰａ（ｐ、ｑ）およびＳＰｂ（ｐ、ｑ）の状態を示している。各副画素に対応する走査線に対称に記してある次の３つの記号により、それぞれの副画素の状態を示している。
【００５１】
第１番目の記号ＨまたはＬは、副画素の実効的な印加電圧の大小関係を示しており、記号Ｈは実効印加電圧が高いことを示しており、記号Ｌは実効印加電圧が低いことを示している。第２番目の記号＋または−は、対向電極と副画素電極の電圧の大小関係、すなわち各副画素の液晶層に印加された電界の向きを示しており、記号＋は対向電極の電圧よりも副画素電極の電圧が高いことを示し、記号−は対向電極の電圧よりも副画素電極の電圧が低いことを示している。第３番目の記号ＡまたはＢはそれぞれ対応する補助容量配線がＣＳ−ＡまたはＣＳ−Ｂであることを示している。
【００５２】
例えば、画素Ｐ（１、１）の副画素ＳＰａ（１、１）およびＳＰｂ（１、１）の状態をみる。図７（ａ）および（ｅ）からわかるように、ＧＬ−１が選択される期間（ＶｇＨである期間ＰＳ）の表示信号電圧は、「＋」である。また、ＧＬ−１の走査電圧がＶｇＨからＶｇＬに変化したときの、それぞれの副画素に対応する補助容量配線の電圧は、図７（ｃ）および（ｄ）に矢印（左から１番目の矢印）で示した位置の状態にある。従って、ＧＬ−１の走査電圧がＶｇＨからＶｇＬに変化した後の、ＳＰａ（１、１）の補助容量対向電圧の最初の電圧変化は、図７（ｃ）からわかるように、増加（これを「Ｕ」として示している。）である。一方、ＧＬ−１の走査電圧がＶｇＨからＶｇＬに変化した後の、ＳＰｂ（１、１）の補助容量対向電圧の最初の電圧変化は、図７（ｄ）からわかるように、減少（これを「Ｄ」として示している。）である。従って、ＳＰａ（１、１）の実効電圧は増加し、ＳＰｂ（１、１）の実効電圧は減少する。ゆえに、ＳＰａ（１、１）の実効的な印加電圧はＳＰｂ（１、１）のそれよりも大きくなり、ＳＰａ（１、１）に記号ＨがＳＰｂ（１、１）に記号Ｌが付記されることとなる。
【００５３】
図７（ｂ）によればＰ（１、２）のＳＰａ（１、２）およびＳＰｂ（１、２）では、ＧＬ−１が選択される期間の表示信号電圧は、「−」である。また、ＧＬ−１の走査電圧がＶｇＨからＶｇＬに変化したときの、それぞれの副画素に対応する補助容量配線の電圧は、図７（ｃ）および（ｄ）に矢印（左から１番目の矢印）で示した位置の状態にある。従って、ＧＬ−１の走査電圧がＶｇＨからＶｇＬに変化した後の、ＳＰａ（１、２）の補助容量対向電圧の最初の電圧変化は、図７（ｃ）からわかるように、増加（「Ｕ」）である。一方、ＧＬ−１の走査電圧がＶｇＨからＶｇＬに変化した後の、ＳＰｂ（１、２）の補助容量対向電圧の最初の電圧変化は、図７（ｄ）からわかるように、減少（「Ｄ」）である。従って、ＳＰａ（１、２）の実効電圧は減少し、ＳＰｂ（１、２）の実効電圧は増加する。ゆえに、ＳＰａ（１、２）の実効的な印加電圧はＳＰｂ（１、２）のそれよりも小さくなり、ＳＰａ（１、２）に記号ＬがＳＰｂ（１、２）に記号Ｈが付記されることとなる。
【００５４】
さらに、図７（ａ）によればＰ（２、１）のＳＰａ（２、１）およびＳＰｂ（２、１）では、ＧＬ−２が選択される期間の表示信号電圧は、「−」である。また、ＧＬ−２の走査電圧がＶｇＨからＶｇＬに変化したときの、それぞれの副画素に対応する補助容量配線の電圧は、図７（ｃ）および（ｄ）に矢印（左から２番目の矢印）で示した位置の状態にある。従って、ＧＬ−１の走査電圧がＶｇＨからＶｇＬに変化した後の、ＳＰａ（２、１）の補助容量対向電圧の最初の電圧変化は、図７（ｄ）からわかるように、減少（「Ｄ」）である。一方、ＧＬ−２の走査電圧がＶｇＨからＶｇＬに変化した後の、ＳＰｂ（２、１）の補助容量対向電圧の最初の電圧変化は、図７（ｃ）からわかるように、増加（「Ｕ」）である。従って、ＳＰａ（２、１）の実効電圧は増加し、ＳＰｂ（２、１）の実効電圧は減少する。ゆえに、ＳＰａ（２、１）の実効的な印加電圧はＳＰｂ（２、１）のそれよりも大きくなり、ＳＰａ（２、１）に記号ＨがＳＰｂ（１、２）に記号Ｌが付記されることとなる。このようにして、図６に示す各副画素状態が得られることがわかる。
【００５５】
本実施形態の液晶表示装置は、第１の条件を満足するように駆動することができる。
図６および図７は、あるフレーム期間内の状態を示しているため、これらの図から第１の条件を満足するか否かを評価することは出来ないが、例えば、図７に示したフレームの次のフレームで各信号線（Ｓ−Ｏ（図７（ａ））あるいはＳ−Ｅ（図７（ｂ）））の電圧波形の位相をそれぞれ１８０度ずらすことにより、液晶層に印加される電界の向きがフレーム期間毎に反転する交流駆動とすることができる。
【００５６】
さらに、本実施形態の液晶表示装置では、それぞれの画素における各副画素の実効印加電圧大小の関係の、言い換えると、副画素の輝度の大きさの順位の表示画面内での配置（図６における記号「Ｈ」と「Ｌ」の位置関係）がフレーム毎に変化しないようにするために、信号線の電圧波形の位相をずらすのに伴って、補助容量配線ＣＳ−ＡおよびＣＳ−Ｂの電圧波形の位相も１８０度ずらす。このようにすると、図６に示した次のフレームでは、図６における記号「＋」と記号「−」とを入れ替えた状態が実現される（例えば、（＋、Ｈ）⇔（−、Ｈ）、（＋、Ｌ）⇔（−，Ｌ））。このように、上述した第１の条件を満足することができる。
【００５７】
次に、第２の条件を満足するか否か、すなわち、各々の電界の向きにおいて各副画素の液晶層（および各副画素に対応する補助容量）に充電される電荷量が一致するか否かを検討する。ここで、本実施形態の液晶表示装置においては、各画素が液晶層への実効印加電圧の異なる副画素を有しているが、表示のチラツキといった表示品位に支配的な影響を与えるのは輝度順位の高い副画素、即ち図６において記号「Ｈ」を付記した副画素であるため、特に  記号「Ｈ」を付記した副画素に対して第２の条件が課せられることになる。
【００５８】
第２の条件に関して、図７に示した各電圧波形を参照しながら説明する。
副画素の液晶容量および補助容量が充電されるのは、対応する走査線の電圧がＶｇｈの期間（選択期間ＰＳ）である。また、液晶容量に充電される電荷量は選択期間における信号線の表示信号電圧と対向電圧（図７中不図示）との電圧差に依存し、補助容量に充電される電荷量は選択期間における信号線の表示信号電圧と補助容量配線の電圧（補助容量対向電圧）との電圧差に依存する。
【００５９】
図７（ａ）および（ｂ）に示したように、各選択期間における信号線の表示信号電圧は、図中に＋または−の記号を付した２種類の電圧が存在するが、いずれの場合も、選択期間内においては電圧変化が無い。なお、対向電圧については図示していないが、ここでは全ての副画素に対して同一の電圧で、且つ時間的に電圧変化しない直流電圧とした。
【００６０】
補助容量配線はＣＳ−ＡとＣＳ−Ｂの２種類が存在する。ＣＳ−Ａの電圧波形は、いずれの走査線の選択期間においても同一波形である。同様にＣＳ−Ｂの電圧波形もまたいずれの走査線の選択期間においても同一波形である。すなわち、いずれの走査線の選択期間においても、補助容量配線の電圧の直流成分（ＤＣレベル）値が同一の値となる。従って、各信号線の表示信号電圧、対向電極の電圧、および各補助容量配線の電圧の直流成分（ＤＣレベル）を適宜設定することにより第２の条件を満足することができる。
【００６１】
次に、第３の条件を満足するか否か、すなわち、各フレーム期間において極性の異なる画素が隣接して配置されているか否かを検証する。ただし、本実施形態の液晶表示装置においては、各画素が液晶層への実効印加電圧の異なる副画素を有しているので、画素について第３の条件が課せられるのに加え、実効印加電圧の等しい副画素同士に対しても第３の条件が課せられる。とりわけ、上記第２の条件の場合同様、輝度順位の高い副画素、即ち図６において記号「Ｈ」を付した副画素に対して第３の条件を満たすことが重要となる。
【００６２】
図６に示したように、各画素の極性（電界の向き）を示す記号「＋」および「−」は行方向（水平方向）には、例えば（＋、−）、（＋、−）、（＋、−）と２画素（２列）周期で反転しており、列方向（垂直方向に）にも、例えば、（＋、−）、（＋、−）、（＋、−）、（＋、−）と２画素（２行）周期で反転している。すなわち、画素単位でみるとドット反転と呼ばれる状態を呈しており、第３の条件を満足している。
【００６３】
次に、輝度順位の高い副画素、即ち図６において記号「Ｈ」を付した副画素について確認する。
【００６４】
図６に示したように、行方向には、例えば第１行のＳＰａを見ると、＋Ｈ、＋Ｈ、＋Ｈと極性反転は見られないが、列方向には、例えば第１列を見ると、（＋Ｈ、−Ｈ）、（＋Ｈ、−Ｈ）、（＋Ｈ、−Ｈ）、（＋Ｈ、−Ｈ）と２画素（２行）周期で極性反転している。すなわち、とりわけ重要な輝度順位の高い副画素単位でみるとライン反転と呼ばれる状態を呈しており、第３の条件を満たしている。記号Ｌの副画素も同様の規則性をもって配置されており、第３の条件を満足している。
【００６５】
次に、第４の条件について検討する。第４の条件は、積極的に輝度を異ならせた副画素の内で輝度順位が同じ副画素ができるだけ互いに隣接しないように配置することである。
【００６６】
本実施形態において積極的に輝度を異ならせた副画素、すなわち液晶層に印加される実効印加電圧を積極的に異ならせた副画素は、図６において記号ＨまたはＬで示されている。
【００６７】
図６において、行方向に２つ列方向に２つ合計４個の副画素単位（例えば、ＳＰａ（１、１）、ＳＰｂ（１、１）、ＳＰａ（１、２）、ＳＰｂ（１、２））を見ると、行方向にＨ、Ｌ、改行してＬ、Ｈと配置された副画素郡が全面に敷き詰められた配置となっている。すなわち、図６に示した配置では、ＨおよびＬの記号が副素単位で市松模様状に配置された構造となっており、第４の条件を満たしていることがわかる。
【００６８】
この配置を画素単位についてみると、各画素における副画素の輝度の大きさの順位と、副画素の列方向の配列における位置との対応関係は、任意の行の画素においては行方向に所定の周期で変化（ここでは１画素ごとに反転）し、任意の列の画素においては一定である。すなわち、任意の行の画素Ｐ（ｐ、ｑ）において最高輝度を呈する副画素（ここでは「Ｈ」で示される副画素）は、ｑが奇数の画素ではＳＰａ（ｐ、ｑ）であり且つｑが偶数の画素ではＳＰｂ（ｐ、ｑ）である。もちろん、逆に、ｑが奇数の画素ではＳＰｂ（ｐ、ｑ）であり且つｑが偶数の画素ではＳＰａ（ｐ、ｑ）であってもよい。一方、任意の列の画素Ｐ（ｐ、ｑ）において最高輝度を呈する副画素は、ｐが奇数が偶数かに関わらず同一列では同一の副画素ＳＰａ（ｐ、ｑ）もしくはＳＰｂ（ｐ、ｑ）である。ここで、ＳＰａ（ｐ、ｑ）もしくはＳＰｂ（ｐ、ｑ）をとるとしたのは、たとえば奇数列ではｐの値が偶数か奇数かにかかわらずＳＰａ（ｐ、ｑ）であり、偶数列ではｐの値が偶数か奇数かにかかわらずＳＰｂ（ｐ、ｑ）であるからである。
【００６９】
このように、図６および図７を参照ながら説明した本実施形態の液晶表示装置は、上述した４つの条件を全て満足するので、高品位の表示を実現することができる。
【００７０】
尚、上記では、液晶表示装置の１画素を２つの副画素に分割する実施形態について説明したが、本発明の液晶表示装置は、１画素を３つ以上の副画素に分割したものとして実施することもできる。以下、図８及び図９を参照しながら、本発明の液晶表示装置において、１画素を３つの副画素に分割する場合の例を説明する。
【００７１】
図８は、１画素を３つの副画素に分割してなる液晶表示装置における画素配列を模式的に示す図である。図８において、各画素は上段、中段、下段の副画素に分割されており、それぞれがＣＳ−Ａ又はＣＳ−Ｂに接続されて個別に制御されるようになっている。尚、各副画素の明暗の配列については、この図に示すものに限定されるわけではなく、任意の配列を採用することができる。
【００７２】
図９は、図８に示す液晶表示装置の画素構造に対応した電気的な等価回路を示す図である。図９において、１画素に含まれる３つの副画素のうち、１つ又は２つの副画素がそれぞれＣＳ−Ａ又はＣＳ−Ｂに接続されている。その他の詳細な構成は図２に示す回路と同様である。
【実施例】
【００７３】
上記した本発明の液晶表示装置をＰＡＬ方式の対応の液晶表示装置において実施する例を以下に示す。本実施例は、ＰＡＬ方式の映像ソースを表示可能なマトリックス型表示装置に関するものである。
【００７４】
図１０は、本実施例によるＰＡＬ方式の映像ソース用の液晶映像表示装置の構成の主要部を示す図である。この映像表示装置は、複数の映像ソースからの映像信号を切り替えて入力する入力切換部１０１と、アナログ信号をデジタル信号に変換するＡＤコンバータ１０２と、映像信号変換用メモリ１０３と、スケーリング、ＩＰ変換等の映像信号変換処理を行う映像信号変換部１０４と、画質強調補正処理を行う画質強調補正部１０５と、オンスクリーン信号を制御するＯＳＤ制御部１０６と、オンスクリーン信号を混合するＯＳＤ混合部１０７と、γ補正を行うγ補正部１０８と、液晶パネルを制御する液晶コントローラ１０９と、液晶パネル２００と、ゲートドライバ２０１と、ソースドライバ２０２とを有する。
【００７５】
以下に、本例の映像信号変換部１０４における映像信号変換処理を説明する。
図１１を参照してＰＡＬ方式の標準（ＳＤ）映像信号の映像信号変換処理を説明する。図１１Ａは、走査線数が５７６本のインターレース方式の映像信号、即ち、５７６ｉ映像信号を模式的に表示したものである。図１１Ｂは、１６：９型の欧州規格の表示パネル（９６０ドット×５４０ドット）の画素列を模式的に表示したものであり、これを、以下、単に、ワイドユーロパネルと称する。
【００７６】
先ず、図１１Ａの５７６ｉ映像信号を、図１１Ｃに示す、走査線が５７６本のプログレッシブ信号に変換する。こうして生成された信号を、以下、単に、５７６ｐ信号と称する。ここで、インターレース信号はプログレッシブ信号に変化しているが走査線の数は変化していない。従って、スケーリングは不要である。
【００７７】
次に、図１１Ｃの５７６ｐ信号を、図１１Ｄに示す、走査線が５４０本のプログレッシブ信号に変換する。こうして生成された信号を、以下、単に、５４０ｐ信号と称する。ここで、走査線が５７６本から５４０本に減少しているのは、６．２５％のオーバスキャン分カットを行ったためであり、スケーリングは不要である。５４０ｐ信号の走査線は、５４０本であるから、５４０行の画素列を有するワイドユーロパネルに表示することができる。尚、５７６ｉ映像信号は４：３型であるから、それを１６：９型のワイドユーロパネルに表示するには、水平方向のスケーリングが必要である。
【００７８】
図１２を参照してハイビジョン（ＨＤ）映像信号の映像信号変換を説明する。図１２Ａは、走査線数が１０８０本のインターレース方式の映像信号、即ち、１０８０ｉ映像信号を模式的に表示したものである。図１２Ｂは、図１１Ｂに示した、１６：９型の欧州規格のワイドユーロパネル（９６０ドット×５４０ドット）の画素列を模式的に表示したものである。
【００７９】
先ず、図１２Ａの１０８０ｉ映像信号を、図１２Ｃに示す、走査線が５４０本のプログレッシブ信号、即ち、５４０ｐ信号に変換する。ここで、走査線が１０８０本から５４０本に減少しているのは、片フィールドの信号をそのまま利用しているためである。５４０ｐ信号の走査線は、５４０本であるから、５４０行の画素列を有するワイドユーロパネルに表示することができる。尚、１０８０ｉ映像信号は１６：９型であるから、それを１６：９型のワイドユーロパネルに表示するには、水平方向のスケーリングは不要である。
【００８０】
以上説明した本実施例のマトリックス型表示装置の映像信号変換部１０４では、ＰＡＬ方式の標準（ＳＤ）映像信号をワイドユーロパネルに表示する場合、図１１Ａの５７６ｉ映像信号を図１１Ｃの５７６ｐ信号にＩＰ変換し、それを、図１１Ｄの５４０ｐ信号に変換するだけである。即ち、オーバスキャンと水平方向のスケーリングを行うが、垂直方向のスケーリングは行わない。ハイビジョン（ＨＤ）映像信号をワイドユーロパネルに表示する場合、図１２Ａの１０８０ｉ映像信号を図１２Ｃの５４０ｐ信号に変換するだけである。即ち、片フィールドの信号をそのまま使うだけで、オーバスキャンと水平方向のスケーリングは行わない。従って、本例では、映像信号変換用メモリ１０３の容量を小さくすることができる。
【００８１】
以上、本発明の液晶表示装置について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【図面の簡単な説明】
【００８２】
【図１】本発明の液晶表示装置の一実施形態における画素構成例を模式的に示した図である。
【図２】図１に示す液晶表示装置の画素構造に対応した電気的な等価回路を示す図である。
【図３】（ａ）〜（ｆ）は、図１に示す液晶表示装置の駆動に用いられる各種の電圧波形を示す図である。
【図４】図１に示す液晶表示装置における副画素間の液晶層への印加電圧の関係を示す図である。
【図５】図１に示す液晶表示装置のγ特性を示す図であり、（ａ）右６０度視角でのγ特性、（ｂ）は、右上６０度視角のγ特性を示す。
【図６】図１に示す液晶表示装置の画素配列を模式的に示す図である。
【図７】（ａ）〜（ｊ）は、図６に示した構成を有する液晶表示装置を駆動するための各種電圧（信号）の波形を示す図である。
【図８】１画素を３つの副画素に分割してなる液晶表示装置における画素配列を模式的に示す図である。
【図９】図８に示す液晶表示装置の画素構造に対応した電気的な等価回路を示す図である。
【図１０】本発明の実施例として、ＰＡＬ方式の映像ソース用の液晶映像表示装置の構成の主要部を示す図である。
【図１１】本発明の実施例として、ＰＡＬ方式の標準（ＳＤ）映像信号の映像信号変換処理の方法を示す図である。
【図１２】本発明の実施例として、ハイビジョン（ＨＤ）映像信号の映像信号変換処理の方法を示す図である。
【符号の説明】
【００８３】
１０  画素
１０ａ、１０ｂ  副画素
１２  走査線
１４ａ、１４ｂ  信号線
１６ａ、１６ｂ  ＴＦＴ
１８ａ、１８ｂ  副画素電極
１００  液晶表示装置
１０１  入力切換部
１０２  ＡＤコンバータ
１０３  映像信号変換用メモリ
１０４  映像信号変換部
１０５  画質強調補正部
１０６  ＯＳＤ制御部
１０７  ＯＳＤ混合部
１０８  γ補正部
１０９  液晶コントローラ
２００  表示パネル
２０１  ゲートドライバ
２０２  ソースドライバ
【図１】
2006171342.tif 000003
【図２】
2006171342.tif 000004
【図３】
2006171342.tif 000005
【図４】
2006171342.tif 000006
【図５】
2006171342.tif 000007
【図６】
2006171342.tif 000008
【図７】
2006171342.tif 000009
【図８】
2006171342.tif 000010
【図９】
2006171342.tif 000011
【図１０】
2006171342.tif 000012
【図１１】
2006171342.tif 000013
【図１２】
2006171342.tif 000014